(57)【要約】【課題】給排気筒本体と給排気筒トップよりなる二重筒構造の給排気筒で、給気路入口部に堆積する雪や氷を溶解する給排気装置を提供する。【解決手段】燃焼後の排気及び燃焼用の空気の給気を、壁２の貫通穴３を貫通する給排気筒本体４と給排気筒トップ５を備えた給排気装置１を介して屋外より行うようにし、前記給排気筒本体４と前記給排気筒トップ５はそれぞれ前記給排気筒本体４の給気筒９と排気筒７、前記給排気筒トップ５の給気筒１５と排気筒１４を有し、前記給排気筒本体４の給気筒９と前記給排気筒トップ５の給気筒１５、前記給排気筒本体４の排気筒７と前記給排気筒トップ５の排気筒１４がそれぞれ嵌合してなる二重筒構造の給排気装置１で、前記給排気筒トップ５の外方の給気筒１５と内方の排気筒１４との間の給気路入口部１７に対向する給気筒１６外周には、給排気装置１が接続した燃焼器具１０で生成する温水が循環する温水容器２２を備えた。【選択図】図１
2015021687.tif 000002
【特許請求の範囲】
【請求項１】
燃焼後の排気及び燃焼用の空気の給気を、壁の貫通穴を貫通する給排気筒本体と給排気筒トップを備えた給排気装置を介して屋外より行うようにし、前記給排気筒本体と前記給排気筒トップはそれぞれ前記給排気筒本体の給気筒と排気筒、前記給排気筒トップの給気筒と排気筒を有し、前記給排気筒本体の給気筒と前記給排気筒トップの給気筒、前記給排気筒本体の排気筒と前記給排気筒トップの排気筒がそれぞれ嵌合してなる二重筒構造の給排気装置に於いて、前記給排気筒トップの給気筒と排気筒との間の給気路入口部に対向する給気筒外周には、給排気装置が接続した燃焼器具で生成する温水が循環する温水容器を備えた事を特徴とする給排気装置。
【発明の詳細な説明】
【技術分野】
【０００１】
この発明は、屋外給排気式の暖房用温水ボイラーやガス給湯機に用いる給排気装置に関するものである。
【背景技術】
【０００２】
従来より、この種の給排気装置に於いては、内側の排気筒と外側の給気筒との間の給気路入口部が、突出構造の為に雪や氷が堆積し易く、堆積すると給気路入口部で閉塞されて燃焼部への給気不足となり、異常燃焼となるので、室外側のフランジに発熱体を取り付けて、該フランジ及び仕切板に付着した雪や氷は発熱体に通電し、排気筒内を通り排気トップに先端部を位置させた駆動桿を手動で操作することで、除去するようにしたものであった。
【先行技術文献】
【特許文献】
【０００３】
【特許文献１】特開平８−１２８６２３号公報
【発明の概要】
【発明が解決しようとする課題】
【０００４】
ところでこの従来のものでは、発熱体への通電が必要であり、何時通電を開始するのかが問題であり、外気温が低い時や吹雪等の天候によって通電を開始した場合、通電時間が長くなったり、切り忘れ等も考えられ、電力が無駄に消費されて不経済であったり、又人為的な操作で手間がかかったり、センサを付けて自動的にしても制御が複雑となったり、高価になる等の課題を有するものであった。
【課題を解決するための手段】
【０００５】
この発明はこの点に着目し上記課題を解決する為に、燃焼後の排気及び燃焼用の空気の給気を、壁の貫通穴を貫通する給排気筒本体と給排気筒トップを備えた給排気装置を介して屋外より行うようにし、前記給排気筒本体と前記給排気筒トップはそれぞれ前記給排気筒本体の給気筒と排気筒、前記給排気筒トップの給気筒と排気筒を有し、前記給排気筒本体の給気筒と前記給排気筒トップの給気筒、前記給排気筒本体の排気筒と前記給排気筒トップの排気筒がそれぞれ嵌合してなる二重筒構造の給排気装置に於いて、前記給排気筒トップの給気筒と排気筒との間の給気路入口部に対向する給気筒外周には、給排気装置が接続した燃焼器具で生成する温水が循環する温水容器を備えたものである。
【発明の効果】
【０００６】
以上のようにこの発明によれば、燃焼器具で生成された高温の温水を屋外の給気筒先端外周の温水容器に循環させることで、給気路入口部に堆積する雪や氷を確実に溶解し、給気路入口部が雪や氷で閉塞されるのを阻止して、異常燃焼の発生を防止して常に良好な燃焼を得ることが出来るものであり、更に給排気装置が接続した燃焼器具で生成している温水を利用するので、特別な装置が不用で簡単に構成することが出来るものである。
【図面の簡単な説明】
【０００７】
【図１】この発明の一実施形態を示す給排気装置の断面図。
【発明を実施するための形態】
【０００８】
この発明の一実施形態を図面に基づいて説明すと、給排気装置１は、室内と室外を仕切る壁２に設けた貫通孔３を介して、屋内側からは給排気筒本体４と屋外側からは給排気筒トップ５を嵌合させてなり、給排気筒トップ５は屋外に突出して備えられている。
【０００９】
給排気筒本体４は、排気路６を形成する内側排気筒７と、その外側に給気路８を形成するための外側給気筒９を備え屋外側の端部を開放した二重筒構造である。そして、給排気筒本体４の屋内側端部には内側排気筒７及び外側給気筒９を室内に設置した暖房用の温水ボイラーから成る燃焼器具１０と接続するためのターミナル部１１が設けられている。
【００１０】
このターミナル部１１には、前記燃焼器具の給気菅及び排気管が接続される排気筒接続口１２と給気筒接続口１３が設けられている。また、外側給気筒９には、その屋外方向の先端部から給気筒接続口１３の近傍にまで連続して雌ねじ部１４が形成されている。
【００１１】
給排気筒トップ５は、排気路６を形成する外側排気筒１５と、その外側に給気路８を形成する内側給気筒１６を構え、屋内側の端部を開放した二重筒構造である。また、給排気筒トップ５の屋外側の端部には燃焼器具から排出された燃焼排ガスを屋外へ排出するための排気口１７と正面からの風を遮蔽する風除けフランジ１８が設けられており、給排気筒トップ５の内側給気筒１６から燃焼用空気を供給する給気路入口部１９がそれぞれ設けられている。
【００１２】
そして、給排気筒トップ５の外側排気筒１５の内側に給排気筒本体４の内側排気筒７が密接して嵌合し、同時に給排気筒トップ５の内側給気筒１６が給排気筒本体４の外側給気筒９の内側に嵌合し、壁２を給排気筒本体４と給排気筒トップ５とで挟み込んで給排気装置１が構成されている。また、外側排気筒１５と内側給気筒１６と間隔を存して、その端部をスペーサ２０により連結し給気するのに十分な給気路入口部１９を形成している。
【００１３】
外側排気筒１５の先端側に備えられたスプリングストッパ２１の弾性係止片部２１aは、斜め後方へ跳ね上がった状態で外側給気筒９内周の雌ねじ部１４に係合できるようになっている。給気筒本体４と給排気筒トップ５を壁２から引き抜く際には、給排気筒トップ５を屋外側へ回動させることでスプリングストッパ２１の弾性係止片部２１aを雌ねじ部１４の溝に沿って回動し給気筒本体４と給排気筒トップ５を分離することが出来るようになっている。また、その給排気装置１全体の長さは、給排気筒本体４と給排気筒トップ５のねじこみ深さの調節により調整出来、壁２の厚さの違いに対応してどのような厚さの壁２にも取り付けることが出来るものである。
【００１４】
２２は給気路入口部１９と対向する内側給気筒１６の外周で屋外側の先端部に備えられたドーナッ状の温水容器で、燃焼器具１０の燃焼で生成され温水暖房用に使用される温水の一部を循環させるもので、燃焼器具１０とは循環ポンプ２３を備えた温水往き管２４と、温水戻り管２５とを介して連通されており、燃焼中に循環ポンプ２３が駆動することで、燃焼器具１０からの温水が温水往き管２４を通り温水容器２２の下部から流入し、該温水容器２２内を上部まで流通する間に、内側給気筒１６を良好に加熱した後、温水容器２２の上部に連通した温水戻り管２５を介して燃焼器具１０に戻り、順次この循環を繰り返すことで、内側給気筒１６を良好に加熱して給気路入口部１９に付着体積する雪や氷を確実に溶解し、又雪や氷の付着を未然に防止するものである。
【００１５】
次にこの一実施形態の作動について説明する。
先ず燃焼器具を運転開始すれば、屋外からの空気が給気路入口部１９を流通し給排気装置１に於ける給排気筒本体４の内側排気筒７と外側給気筒９の間と給排気筒トップ５の外側排気筒１５と内側給気筒１６の間の空間の給気路８とを通過して屋内の燃焼器具１０に燃焼用空気が供給され、燃焼器具１０からの排気ガスが給排気装置１における給排気筒本体４の内側排気筒７から給排気筒トップ５の外側排気筒１５を流通し、給排気筒トップ５の屋外側先端部における排気口１７から屋外へ排気されるものである。
【００１６】
一方燃焼器具１０の燃焼で高温となった温水は循環されることで暖房に利用されるが、その一部は、循環ポンプ２３の駆動により、燃焼器具１０からの温水が温水往き管２４を通り温水容器２２の下部から流入し、該温水容器２２内を上部まで流通する間に、内側給気筒１６を良好に加熱した後、温水容器２２の上部に連通した温水戻り管２５を介して燃焼器具１０に戻り、順次この循環を繰り返すことで、内側給気筒１６を良好に加熱して給気路入口部１９に付着体積する雪や氷を確実に溶解し、給気路入口部１９の閉塞による異常燃焼を防止出来、常に良好な燃焼を得ることが出来るものであり、更に給排気装置１が接続した燃焼器具１０で生成している温水を利用するので、特別な装置が不用で簡単に構成することが出来るものである。
【符号の説明】
【００１７】
１  給排気装置
２  壁
３  貫通孔
４  給排気筒本体
５  給排気筒トップ
７  内側排気筒（排気筒）
９  外側給気筒（給気筒）
１０  燃焼器具
１５  外側排気筒（排気筒）
１６  内側給気筒（給気筒）
１９  給気路入口部
２２  温水容器
【図１】
2015021687.tif 000003